(57)【要約】【課題】  新たに設置される伝送装置に対して容易かつ迅速にＩＰアドレスを割り当てることができる技術を提供することを目的とする。【解決手段】  リングネットワーク上で隣接する一方の伝送装置からのデータを受信する受信部と、受信したデータをリングネットワーク上で隣接する他方の伝送装置に送信する送信部と、リングネットワークにおいて自装置を識別する識別子を記憶する記憶部と、識別子に基づいて、データの送受信を制御監視する制御部とを備え、制御部は、自装置がリングネットワーク上に新たに設置される場合、リングネットワーク上に設置されている既存の装置の識別子を取得し、取得した既存の装置の識別子と異なる識別子を自装置に割り当てて設定する。【選択図】    図１
2013150230.tif 000002
【特許請求の範囲】
【請求項１】
リングネットワーク上で隣接する一方の伝送装置からのデータを受信する受信部と、
受信した前記データを前記リングネットワーク上で隣接する他方の伝送装置に送信する送信部と、
前記リングネットワークにおいて自装置を識別する識別子を記憶する記憶部と、
前記識別子に基づいて、前記データの送受信を制御監視する制御部とを備え、
前記制御部は、自装置が前記リングネットワーク上に新たに設置される場合、前記リングネットワーク上に設置されている既存の装置の前記識別子を取得し、取得した前記既存の装置の識別子と異なる識別子を自装置に割り当てて設定する
ことを特徴とする伝送装置。
【請求項２】
請求項１に記載の伝送装置において、
前記制御部は、自装置が前記リングネットワーク上に新たに設置される場合、前記送信部より所定のデータを送信して、前記既存の装置に前記既存の装置の識別子を前記所定のデータに追加して書き込ませ、前記既存の装置の識別子を取得することを特徴とする伝送装置。
【請求項３】
請求項１または請求項２に記載の伝送装置において、
前記制御部は、自装置が前記既存の装置か新たに設置される装置かを前記記憶部に前記識別子が記憶されているか否かに基づいて判定することを特徴とする伝送装置。
【請求項４】
請求項２に記載の伝送装置において、
前記制御部は、前記所定のデータを受信して前記異なる識別子を割り当てて設定した場合、設定した前記異なる識別子を前記所定のデータに書き込み前記他の伝送装置に送信することを特徴とする伝送装置。
【請求項５】
請求項４に記載の伝送装置において、
前記制御部は、受信した前記所定のデータに自装置の前記識別子が書き込まれている場合、前記所定のデータを破棄することを特徴とする伝送装置。
【請求項６】
請求項２に記載の伝送装置において、
前記制御部は、前記所定のデータを受信して前記異なる識別子を割り当てて設定した後、前記所定のデータを破棄することを特徴とする伝送装置。
【請求項７】
リングネットワーク上に配置される複数の請求項１ないし請求項６に記載の伝送装置を備えることを特徴とする伝送システム。
【発明の詳細な説明】
【技術分野】
【０００１】
本発明は、リングネットワークを形成する伝送装置および伝送システムに関する。
【背景技術】
【０００２】
従来、リングネットワーク上に伝送装置を新たに設置する場合、新たな伝送装置にＩＰ（Internet Protocol）アドレスが割り当てられるまでは、リングネットワークを制御監視する制御監視装置からは認識することができず、設置者が設置現場でＩＰアドレスの割り当てなどの初期設定を行う必要がある。しかしながら、新たな伝送装置にＩＰアドレスを割り当てるには、設置者に対して一定の経験が要求される。そこで、新たに設置される伝送装置に対してＩＰアドレスを自動的に割り当てる技術が開発されている。
【０００３】
例えば、新たに設置されるノード装置に事前に自ノードＩＤという値を設定するとともに、隣接ノード装置から隣接ノードＩＤを取得し、自ノードＩＤと隣接ノードＩＤとに基づいて、自ノード装置および隣接ノード装置のインタフェースのＩＰアドレスを自動的に決定する技術がある（特許文献１など参照）。
【先行技術文献】
【特許文献】
【０００４】
【特許文献１】特開２００９−１７１３９８号公報
【発明の概要】
【発明が解決しようとする課題】
【０００５】
しかしながら、従来技術では、ＩＰアドレスを割り当てるにあたり、設置者が使用されていない空きの自ノードＩＤを探して設定しなければならない。
【０００６】
上記従来技術が有する問題に鑑み、本発明の目的は、新たに設置される伝送装置に対して容易かつ迅速にＩＰアドレスを割り当てることができる技術を提供することにある。
【課題を解決するための手段】
【０００７】
上記課題を解決するために、本発明を例示する伝送装置の一態様は、リングネットワーク上で隣接する一方の伝送装置からのデータを受信する受信部と、受信したデータをリングネットワーク上で隣接する他方の伝送装置に送信する送信部と、リングネットワークにおいて自装置を識別する識別子を記憶する記憶部と、識別子に基づいて、データの送受信を制御監視する制御部とを備え、制御部は、自装置がリングネットワーク上に新たに設置される場合、リングネットワーク上に設置されている既存の装置の識別子を取得し、取得した既存の装置の識別子と異なる識別子を自装置に割り当てて設定する。
【０００８】
また、制御部は、自装置がリングネットワーク上に新たに設置される場合、送信部より所定のデータを送信して、既存の装置に既存の装置の識別子を所定のデータに追加して書き込ませ、既存の装置の識別子を取得してもよい。
【０００９】
また、制御部は、自装置が既存の装置か新たに設置される装置かを記憶部に識別子が記憶されているか否かに基づいて判定してもよい。
【００１０】
また、制御部は、所定のデータを受信して異なる識別子を割り当てて設定した場合、設定した異なる識別子を所定のデータに書き込み他の伝送装置に送信してもよい。
【００１１】
また、制御部は、受信した所定のデータに自装置の識別子が書き込まれている場合、所定のデータを破棄してもよい。
【００１２】
また、制御部は、所定のデータを受信して異なる識別子を割り当てて設定した後、所定のデータを破棄してもよい。
【００１３】
本発明を例示する伝送システムの一態様は、リングネットワーク上に配置される複数の本発明の伝送装置を備える。
【発明の効果】
【００１４】
本発明によれば、新たに設置される伝送装置に対して容易かつ迅速にＩＰアドレスを割り当てることができる。
【図面の簡単な説明】
【００１５】
【図１】本発明の一の実施形態に係る伝送システムの構成を示すブロック図
【図２】一の実施形態の伝送装置の構成を示すブロック図
【図３】一の実施形態の制御部の構成を示すブロック図
【図４】一の実施形態の伝送システムによる設定動作を示すフローチャート
【図５】アドレステーブルおよびイーサフレームの一例を示す図
【発明を実施するための形態】
【００１６】
図１は、本発明の一の実施形態に係る伝送システムＳＹＳの構成を示すブロック図である。本実施形態に係る伝送システムＳＹＳは、監視制御装置１０、伝送装置２０ａ〜２０ｄ、および一芯の光ファイバなどの伝送路３０ａ〜３０ｄとから構成される。伝送装置２０ａ〜２０ｄは伝送路３０ａ〜３０ｄでリング状に接続されてリングネットワークを形成し、監視制御装置１０は伝送装置２０ａに接続される。なお、本実施形態では、監視制御装置１０は、他の伝送装置２０ｂ〜２０ｄに接続されてもよい。
【００１７】
監視制御装置１０は、伝送システムＳＹＳ上に設置される伝送装置２０を統括的に監視制御するコンピュータである。本実施形態の監視制御装置１０は、管理者や制御プログラムからの制御指示を、伝送装置２０ａを介して、時計回りおよび反時計回りの双方向にブロードキャストで伝送路３０ａおよび３０ｄに出力する。なお、監視制御装置１０および伝送装置２０ａ〜２０ｄは、制御指示およびデータをイーサフレームの形式で伝送路３０ａ〜３０ｄに伝送させて送受信するものとする。ただし、伝送システムＳＹＳは、伝送路３０ａ〜３０ｄをデータ用回線とし、伝送路３０ａ〜３０ｄとは別に平行に設置される制御回線で、制御指示を伝送装置２０ａ〜２０ｄに送信してもよい。
【００１８】
伝送装置２０ａ〜２０ｄは、図２に示すような構成を有する。なお、図２は、伝送装置２０ａの構成を示すが、伝送装置２０ｂ〜２０ｄについても同様である。伝送装置２０ａは、制御部２１、記憶部２２、受信部２３ａ、２３ｂ、送信部２４ａ、２４ｂおよび入出力インタフェース（入出力ＩＦ）２５を備える。さらに、伝送装置２０ａには、入出力ＩＦ２５を介して、監視制御装置１０が情報伝達可能に接続される。なお、伝送装置２０ａには監視制御装置１０が接続されるが、伝送装置２０ａ〜２０ｄの入出力ＩＦ２５には、ユーザのコンピュータやサーバなどの端末装置が接続されてもよい。
【００１９】
制御部２１は、伝送装置２０ａの各部を統括的に制御するプロセッサである。例えば、制御部２１は、記憶部２２に記憶されている制御プログラムを実行することにより、受信部２３ａおよび２３ｂが受信したイーサフレームが自装置宛か否かを判定し、自装置宛の場合、入出力ＩＦ２５へ出力し監視制御装置１０や端末装置（不図示）に送信する。一方、制御部２１は、受信したイーサフレームが自装置宛でない場合や、監視制御装置１０や端末装置（不図示）からの制御指示やデータのイーサフレームを受信した場合、送信部２４ａ、２４ｂにそれらのイーサフレームを隣接する伝送装置２０ｂおよび２０ｄへ送信させる。
【００２０】
また、本実施形態の制御部２１は、図１に示すように伝送システムＳＹＳに新たな伝送装置２０ｅを設置する場合、その伝送装置２０ｅにＩＰアドレス（識別子）を割り当てるために、制御プログラムに基づいて、アドレステーブル生成部４０、アドレステーブル読込部４１、アドレステーブル書込部４２およびアドレス設定部４３として動作する（図３）。なお、アドレステーブル生成部４０、アドレステーブル読込部４１、アドレステーブル書込部４２およびアドレス設定部４３の具体的な動作については後ほど説明する。
【００２１】
記憶部２２は、制御プログラムや自装置を識別するために設定されたＩＰアドレスなどを記憶する。記憶部２２には、一般的なハードディスクや光磁気ディスク装置などを用いることができる。
【００２２】
受信部２３ａ、２３ｂは、伝送路３０を時計回りおよび反時計回りに伝送されるイーサフレームを受信する。受信部２３ａ、２３ｂは、制御部２１の制御指示に基づいて、自装置宛の場合、入出力ＩＦ２５へ出力し、他の伝送装置２０宛の場合、送信部２４ａ、２４ｂに出力する。
【００２３】
送信部２４ａ、２４ｂは、受信部２３ａ、２３ｂからのイーサフレームおよび監視制御装置１０や端末装置（不図示）からの制御指示やデータのイーサフレームを隣接する伝送装置２０ｂおよび伝送装置２０ｄに送信する。
【００２４】
次に、図１に示すように、伝送装置２０ｅが伝送路３０ａ上に新たに設置される場合の伝送システムＳＹＳによる設定動作について、図４のフローチャートを参照しつつ説明する。なお、伝送装置２０ｅの構成は伝送装置２０ａと同一であるとする。また、伝送路３０ａ上に伝送装置２０ｅを新たに設置する場合について説明するが、他の伝送路３０ｂ〜３０ｄ上に設置する場合についても同様の動作が行われる。さらに、監視制御装置１０および伝送装置２０ａ〜２０ｄそれぞれにはＩＰアドレスが予め設定され、それぞれのＩＰアドレスは監視制御装置１０の記憶部（不図示）や各伝送装置２０の記憶部２２に記憶されている。以下の説明では、監視制御装置１０および伝送装置２０ａ〜２０ｄのＩＰアドレスを、例えば、「１０．１４６．１１６．１０」、「１０．１４６．１１６．１」、「１０．１４６．１１６．２」、「１０．１４６．１１６．３」および「１０．１４６．１１６．４」とする。
【００２５】
以上により、伝送装置２０ｅが、伝送路３０ａ上に設置され設置者により電源が投入されると、伝送装置２０ｅの制御部２１は、記憶部２２の制御プログラムを実行し、伝送装置２０ｅを初期化する。制御部２１は、自装置にＩＰアドレスを設定するためにステップＳ１０１からの処理を開始する。
【００２６】
ステップＳ１０１：伝送装置２０ｅのアドレステーブル生成部４０は、伝送システムＳＹＳ上に設置された既存の装置全てのＩＰアドレスを取得するために、図５（ａ）に示すようなアドレステーブル５０を生成する。なお、アドレステーブル生成部４０がアドレステーブル５０を生成した時点では、自身の伝送装置２０ｅのみからなりＩＰアドレス欄は空欄である。
【００２７】
ステップＳ１０２：伝送装置２０ｅの制御部２１は、ステップＳ１０１で生成されたアドレステーブル５０をデータ領域に格納しイーサフレームを生成する。なお、アドレステーブル５０が格納されたイーサフレームは、伝送システムＳＹＳ上に設置される全ての既存の装置に受信させるために、例えば、「ＦＦ：ＦＦ：ＦＦ：ＦＦ：ＦＦ：ＦＦ」のＭＡＣアドレスを宛先アドレス領域（ＤＡ）に格納し、送信元アドレス（ＳＡ）領域は空欄のままにする。また、ＴＹＰＥ領域は、アドレステーブル５０が格納されていることを示すために、例えば、「０ｘ０８ＦＦ」の値を格納する。
【００２８】
伝送装置２０ｅの制御部２１は、生成されたアドレステーブル５０のイーサフレームを、送信部２４ａ、２４ｂを介して、時計回りおよび反時計回りにそれぞれブロードキャストで送信する。なお、以下において、時計回りで送信されたイーサフレームに基づく伝送装置２０ａ〜２０ｄの動作について説明するが、反時計回りに送信されたイーサフレームについても同様に動作する。
【００２９】
ステップＳ１０３：伝送装置２０ｂの受信部２３ａは伝送装置２０ｅより送信されたアドレステーブル５０のイーサフレームを受信する。伝送装置２０ｂの制御部２１は、ＤＡ領域のＭＡＣアドレスが「ＦＦ：ＦＦ：ＦＦ：ＦＦ：ＦＦ：ＦＦ」であることから自装置宛と判定する。
【００３０】
ステップＳ１０４：伝送装置２０ｂの制御部２１は、イーサフレームのＴＹＰＥ領域の値が「０ｘ０８ＦＦ」であることを確認し、伝送装置２０ｂのアドレステーブル読込部４１は、イーサフレームのデータ領域からアドレステーブル５０を読み込む。同時に、伝送装置２０ｂの制御部２１は、記憶部２２に記憶されている伝送装置２０ｂのＩＰアドレスを読み込み、記憶部２２に自装置のＩＰアドレスが記憶されているか否かを判定する。制御部２１は、自装置のＩＰアドレスが記憶されている場合、ステップＳ１０５（ＹＥＳ側）へ移行し、自装置のＩＰアドレスが記憶されていない場合、ステップＳ１０８（ＮＯ側）へ移行する。
【００３１】
ステップＳ１０５：伝送装置２０ｂの制御部２１は、アドレステーブル読込部４１により読み込まれたアドレステーブル５０に、自装置のＩＰアドレスがあるか否かを判定する。制御部２１は、自装置のＩＰアドレスがある場合、ステップＳ１０９（ＹＥＳ側）へ移行し、自装置のＩＰアドレスがない場合、ステップＳ１０６（ＮＯ側）へ移行する。
【００３２】
ステップＳ１０６：伝送装置２０ｂのアドレステーブル書込部４２は、図５（ｂ）に示すように、アドレステーブル５０に自装置のＩＰアドレスを追加して書き込む。なお、アドレステーブル書込部４２は、入出力ＩＦ２５に監視制御装置１０などが接続されている場合、それらのＩＰアドレスもアドレステーブル５０に追加して書き込む。
【００３３】
ステップＳ１０７：伝送装置２０ｂの制御部２１は、自装置のＩＰアドレスが書き込まれたアドレステーブル５０を再度データ領域に格納して、送信部２４ａを介してそのイーサフレームを伝送装置２０ｃに送信する。
【００３４】
その後、伝送装置２０ｃ、２０ｄ、２０ａそれぞれにおいても、ステップＳ１０３〜ステップＳ１０７の処理が同様に行われる。伝送装置２０ａにおける処理後、伝送装置２０ｅは、ステップＳ１０３において、図５（ｂ）に示すアドレステーブル５０のイーサフレームを受信する。伝送装置２０ｅの制御部２１は、ステップＳ１０４において、記憶部２２に自装置のＩＰアドレスがまだ記憶されていないことから、ステップＳ１０８（ＮＯ側）へ移行する。
【００３５】
ステップＳ１０８：伝送装置２０ｅの制御部２１は、ステップＳ１０４の判定結果に基づいて、ステップＳ１０３で受信したイーサフレームは自装置が送信したものと判定する。伝送装置２０ｅのアドレス設定部４３は、図５（ａ）に示すアドレステーブル５０に書き込まれたＩＰアドレスに基づいて、伝送システムＳＹＳで使用されていない、例えば、「１０．１４６．１１６．５」を自装置のＩＰアドレスとして割り当てて設定する。伝送装置２０ｅの制御部２１は、設定したＩＰアドレスを記憶部２２に記録して、ステップＳ１０６へ移行する。
【００３６】
そして、ステップＳ１０６において、伝送装置２０ｅのアドレステーブル書込部４２は、設定したＩＰアドレスを、図５（ｃ）に示すように、アドレステーブル５０に追加して書き込む。ステップＳ１０７において、伝送装置２０ｅの制御部２１は、図５（ｃ）に示すアドレステーブル５０がデータ領域に格納されたイーサフレームを伝送装置２０ｂに送信する。そのイーサフレームを受信した伝送装置２０ｂの制御部２１は、ステップＳ１０５において、図５（ｃ）に示すアドレステーブル５０に自装置のＩＰアドレスが既にあると判定し、ステップＳ１０９（ＹＥＳ側）へ移行する。
【００３７】
ステップＳ１０９：伝送装置２０ｂの制御部２１は、ステップＳ１０５における判定結果に基づいて、新たに設置される伝送装置２０ｅに対するＩＰアドレスの設定は完了したと判定し、アドレステーブル５０のイーサフレームを破棄する。伝送システムＳＹＳは一連の設定動作を終了する。
【００３８】
このように、本実施形態では、新たに設置される伝送装置２０ｅが、アドレステーブル５０を生成し伝送システムＳＹＳに送信して、伝送システムＳＹＳ上に設置された既存の装置全てで使用されているＩＰアドレスを取得することにより、未使用のＩＰアドレスを容易かつ迅速に割り当てることができる。
【００３９】
また、新たに設置される伝送装置２０ｅがアドレステーブル５０を伝送システムＳＹＳに送信し、伝送装置２０ａ〜２０ｄは単に自装置のＩＰアドレスをアドレステーブル５０に追加するだけであることから、伝送システムＳＹＳ全体に負荷をかけることなくＩＰアドレスを割り当てて設定することができる。
【００４０】
《実施形態の補足事項》
（１）上記実施形態では、伝送システムＳＹＳは、伝送装置２０ａ〜２０ｄが送受信する制御指示やデータのイーサフレームを、一芯の光ファイバなどの伝送路３０ａ〜３０ｄで時計回りおよび反時計回りの双方向に伝送させたが、本発明はこれに限定されない。例えば、ＯＵＰＳＲ（Optical Unidirectional Path Switched Ring）やＢＬＳＲ（Bidirectional Line Switched Ring）方式のように、多重化された伝送路であってもよい。
【００４１】
それに伴い、上記実施形態では、イーサフレームにアドレステーブル５０を格納したが、それに限定されず、ＳＯＮＥＴ／ＳＤＨフレームなど伝送システムＳＹＳの構成および伝送方式に応じて任意のフレームを用いることができる。
【００４２】
（２）上記実施形態では、図５に示すアドレステーブル５０には監視制御装置１０および伝送装置２０ａ〜２０ｄのＩＰアドレスしか書き込まれなかったが、本発明はこれに限定されず、伝送装置２０ａ〜２０ｄの入出力ＩＦ２５に接続される端末装置（不図示）のＩＰアドレスも書き込んでもよい。
【００４３】
（３）上記実施形態では、アドレステーブル５０を格納するイーサフレームのＳＡ領域は空欄にするとしたが、本発明はこれに限定されない。例えば、ＳＡ領域には、伝送装置２０ｅのＭＡＣアドレスが格納されてもよい。これにより、ステップＳ１０４において、制御部２１は、受信したイーサフレームのＳＡ領域のＭＡＣアドレスと自装置のＭＡＣアドレスとを比較して、アドレステーブル５０のイーサフレームが自装置により送信されたものか否かを判定することができ、伝送システムＳＹＳの設定処理をより高速化することができる。
【００４４】
（４）上記実施形態では、イーサフレームは最終的に伝送装置２０ｅに隣接する伝送装置２０ａおよび伝送装置２０ｂに破棄させたが、本発明はこれに限定されない。伝送装置２０ｅは、ステップＳ１０８におけるＩＰアドレス設定終了後、イーサフレームを破棄するようにしてもよい。これにより、伝送装置２０ｅに隣接する伝送装置２０ａおよび伝送装置２０ｂによる破棄処理を省略することができ、伝送システムＳＹＳの設定処理をより高速化することができる。
【００４５】
以上の詳細な説明により、実施形態の特徴点および利点は明らかになるであろう。これは、特許請求の範囲が、その精神および権利範囲を逸脱しない範囲で前述のような実施形態の特徴点および利点にまで及ぶことを意図する。また、当該技術分野において通常の知識を有する者であれば、あらゆる改良および変更に容易に想到できるはずであり、発明性を有する実施形態の範囲を前述したものに限定する意図はなく、実施形態に開示された範囲に含まれる適当な改良物および均等物によることも可能である。
【符号の説明】
【００４６】
１０…監視制御装置、２０ａ〜２０ｅ…伝送装置、２１…制御部、２２…記憶部、２３ａ、２３ｂ…受信部、２４ａ、２４ｂ…送信部、２５…入出力ＩＦ、３０ａ〜３０ｄ…伝送路、４０…アドレステーブル生成部、４１…アドレステーブル読込部、４２…アドレステーブル書込部、４３…アドレス設定部、ＳＹＳ…伝送システム
【図１】
2013150230.tif 000003
【図２】
2013150230.tif 000004
【図３】
2013150230.tif 000005
【図４】
2013150230.tif 000006
【図５】
2013150230.tif 000007